(57)【要約】【課題】ケースの金属製収容ベースと回路基板モジュールとの間の電気的絶縁を簡単な構成で低コストで得ることが可能であるとともに、防水性を得る場合に好適な点灯装置点灯装置を提供することにある。【解決手段】回路基板モジュール２１が備える回路基板２２の長手方向両端部に取付けられた入出力用の電線コネクタ３１，３２を利用し、これらコネクタの電気絶縁性コネクタケース３３に絶縁スペーサ３５を設ける。これらスペーサ３５で、ケース１１の金属製収容ベース１２内にモジュール２１を両端支持して収容すると共に、回路基板２２の半田付け面２２ａを収容ベース１２のベース壁１２ａから離した状態に保持している。これにより、格別なスペーサ部品を要することなく、収容ベース１２と回路基板２２との間を電気的に絶縁しつつ、ベース壁１２ａにスペーサとなる切起こし省略してベース壁１２ａを孔無し構造としたことを特徴としている。【選択図】    図３
2005019316.tif 000002
【特許請求の範囲】
【請求項１】
ベース壁を有した金属製の収容ベース、及びこの収容ベースに取付けられるカバーを有したケースと、
電気絶縁性の回路基板、及びこの基板の長手方向両端部間に搭載されて点灯回路をなす各種電気部品を有しているとともに、前記点灯回路が前記回路基板を貫通する端子を前記回路基板の半田付け面に半田付けして搭載された電気部品を含んでいて、前記半田付け面を前記ベース壁から離して前記ケースに内蔵された回路基板モジュールと、
前記ベース壁と前記回路基板との間に配置される絶縁スペーサが設けられた合成樹脂製のコネクタケースを有して、前記回路基板の長手方向両端部に夫々前記点灯回路と電気的に接続して取付けられている入出力用の電線コネクタと、
を具備したことを特徴とする点灯装置。
【請求項２】
前記電線コネクタが、前記コネクタケースから突出した端子を前記回路基板に貫通させて半田付けされているとともに、前記絶縁スペーサが、前記コネクタケースに押込み可能に設けられ、この押込みによって押込み方向先端側部分が前記コネクタケースを貫通して前記半田付け面から突出されたものであり、この絶縁スペーサが通る逃げ部が前記回路基板の長手方向の端部に夫々設けられていることを特徴とする請求項１に記載の点灯装置。
【請求項３】
器具本体と、
この器具本体に取付けられたランプソケットと、
このソケットに取外し可能に支持された放電灯と、
前記器具本体に取付けられて前記放電灯を点灯させる請求項１又は２に記載の点灯装置と、
を具備していることを特徴とする照明器具。
【発明の詳細な説明】
【０００１】
【発明の属する技術分野】本発明は、蛍光ランプ等の放電灯を備える照明器具、及びこの器具の放電灯を点灯させる点灯装置に関する。
【０００２】
【従来の技術】蛍光灯照明器具が備える点灯装置には、多数の電気部品を組み合わせて作られているインバータ式の点灯回路を有した点灯装置、いわゆる電子安定器が多用されている。
【０００３】
この種の点灯装置では、金属製の底板とカバーとからなるケースに、点灯回路が設けられた回路基板を収容している。
【０００４】
回路基板に搭載された電気部品と底板との電気的絶縁を図るために、載置凹部を有して略Ｌ字状をなす支持片部を底板の底面部から複数切り起こし、各載置凹部に回路基板を載置させることによって、各支持片部をスペーサとして回路基板を底板から離すようにした点灯装置が知られている（例えば特許文献１参照。）。
【０００５】
【特許文献１】
特開平１０−１５４８６１号公報（段落００１８−００２０、段落００２４−００２５、図１−図２、図５）
【０００６】
【発明が解決しようとする課題】特許文献１の点灯装置が備えるケースの金属製底板は、プレス加工により作られるものであるが、その底面部に複数の支持片部を切り起こして設けているため、プレス成形に使用する金型の構造が複雑である。このため、型費が高いことに伴って底板の成形コストが高くつくので、点灯装置のコストダウンを図るには不利である。
【０００７】
更に、底板と一体の支持片部は金属製であるので、この支持片部と回路基板の回路パターンとの間に必要な電気的絶縁距離が確保されるように、支持片部を逃げて回路パターンを設けなければならない。このため、点灯装置の小形化や高性能化等のために回路基板に対する電気部品の実装密度を高める場合には、電気部品の搭載位置が制限されるなど回路パターンの設計上の制約となるおそれがある。
【０００８】
又、照明器具は、その使用形態によっては、点灯装置に防水性が必要とされる場合がある。この場合、少なくとも底板と回路基板との間に電気絶縁性の合成樹脂を充填し、この充填樹脂で回路基板の半田付け面を埋めるようにすることが考えられている。しかし、従来の点灯装置は、既述のように切り起こされた複数の支持片部を設けているので、底板には切り起こし跡が孔となって形成されている。このため、既述のように底板と回路基板との間に合成樹脂を充填するこは困難である。
【０００９】
本発明が解決しようとする課題は、ケースの金属製収容ベースと回路基板モジュールとの間の電気的絶縁を簡単な構成で低コストで得ることが可能であるとともに、防水性を得る場合に好適な点灯装置及びこの装置を備えた照明器具を提供することにある。
【００１０】
【課題を解決するための手段】前記課題を解決するために、請求項１に係る発明の点灯装置は、ベース壁を有した金属製の収容ベース、及びこの収容ベースに取付けられるカバーを有したケースと、電気絶縁性の回路基板、及びこの基板の長手方向両端部間に搭載されて点灯回路をなす各種電気部品を有しているとともに、前記点灯回路が前記回路基板を貫通する端子を前記回路基板の半田付け面に半田付けして搭載された電気部品を含んでいて、前記半田付け面を前記ベース壁から離して前記ケースに内蔵された回路基板モジュールと、前記ベース壁と前記回路基板との間に配置される絶縁スペーサが設けられた合成樹脂製のコネクタケースを有して、前記回路基板の長手方向両端部に夫々前記点灯回路と電気的に接続して取付けられている入出力用の電線コネクタと、を具備している。
【００１１】
この発明の点灯装置は、回路基板モジュールが備える回路基板の長手方向両端部に取付けられた入出力用の電線コネクタを利用し、このコネクタが有する電気絶縁性のコネクタケースに絶縁スペーサを設けて、これらスペーサで、回路基板モジュールを両端支持するとともに、回路基板の半田付け面をケースの金属製収容ベースのベース壁から離した状態に保持している。これにより、格別なスペーサ部品を要することなく、収容ベースと回路基板との間を電気的に絶縁できるとともに、ベース壁をそれにスペーサを設けるための切り起こしが不用な構造とできる。したがって、収容ベースをプレス成形する金型の構造を簡単にでき、コストダウンを図ることが可能であるとともに、収容ベースのベース壁と回路基板の半田付け面との間に電気絶縁性の合成樹脂を充填する場合に、ベース壁から充填樹脂が漏れることがないので好ましい。
【００１２】
本発明において、収容ベースのベース壁は孔無し構造とできるが、ここに孔無し構造とは、切り起こし跡によって形成される孔を有さないことを意味している。したがって、例えば充填樹脂を収容ベースに充填した場合に、この樹脂の粘性等との関係で、充填樹脂が漏れない程度の細かな孔が設けられているベース壁の構造は、孔無し構造のベース壁に包含されるものである。
【００１３】
請求項２に係る発明の点灯装置では、前記電線コネクタが、前記コネクタケースから突出した端子を前記回路基板に貫通させて半田付けされているとともに、前記絶縁スペーサが、前記コネクタケースに押込み可能に設けられ、この押込みによって押込み方向先端側部分が前記コネクタケースを貫通して前記半田付け面から突出されたものであり、この絶縁スペーサが通る逃げ部が前記回路基板の長手方向の端部に夫々設けられていることを特徴としている。
【００１４】
この発明では、電線コネクタの絶縁スペーサが押し込まれる以前の状態では、このスペーサの押込み方向先端側部分はコネクタケースから突出していない状態に保持されるので、電線コネクタの端子を回路基板にフロー半田により半田付けする場合に、絶縁スペーサが溶融半田の熱で溶けたり変形したりすることがない。このため、半田付け後に絶縁スペーサを確実に押込み移動させて所定の機能を発揮させることが可能である。
【００１５】
請求項３に係る発明の照明器具は、器具本体と、この器具本体に取付けられたランプソケットと、このソケットに取外し可能に支持された放電灯と、前記器具本体に取付けられて前記放電灯を点灯させる請求項１又は２に記載の点灯装置と、を具備していることを特徴としている。
【００１６】
この発明の照明器具が備えた点灯装置は、請求項１又は２に記載の点灯装置であるので、ケースの金属製収容ベースと回路基板モジュールとの間の電気的絶縁を簡単な構成で低コストで得ることが可能であるとともに、防水性を得る場合に好適な点灯装置を備えた照明器具を提供できる。
【００１７】
【発明の実施の形態】以下、図１〜図７を参照して本発明の一実施形態を説明する。
【００１８】
図１中符号１で示す照明器具は、屋外灯、又はトンネル内に設置されるトンネル灯、或いは駅舎の軒下灯等として、好ましくは防水性を備えて使用される。この照明器具１は、器具本体２と、ランプソケット３と、放電灯例えば直管型の蛍光ランプ４と、電子安定器として機能する点灯装置５とを備えている。
【００１９】
器具本体２は、金属製であって直方体形状をなし、その長手方向両端部にランプソケット３がたとえば下向きに突設されている。蛍光ランプ４はランプソケット３に取外し可能に支持されている。蛍光ランプ４を点灯させる点灯装置５は器具本体２に内蔵されている。この点灯装置５は、以下のように構成されている。
【００２０】
図２〜図４に示すように点灯装置５は、その外郭をなすケース１１と、回路基板モジュール２１と、入力用電線コネクタ３１及び出力用電線コネクタ３２と、充填樹脂４１とを具備している。
【００２１】
ケース１１は、収容ベース１２と、これに取付けられるカバー１５とを有して長四角形の箱状をなしている。このケース１１の合わせ目１１ａ、及びカバー１５の四隅の稜１１ｂ、並びに後述する外部電線コネクタの取付け部１１ｃ等に、夫々シリコーン樹脂等を塗布して硬化させた目張り層（図示しない）を設けることは妨げるものではなく、このようにする場合には、より確実な防水性をケース１１に与えることが可能である。
【００２２】
収容ベース１２は金属製であって、その一面（図２及び図３において上面）は開口されている。収容ベース１２は、その開口と対向するベース壁１２ａを有しており、このベース壁１２ａは平板状で孔無し構造となっている。収容ベース１２の長手方向両端に位置した端壁１２ｂの幅方向中央部には、この端壁１２ｂの先端（ベース壁１２ａと反対側の端）に開放する逃げ溝１３が夫々切り欠いて設けられている。
【００２３】
カバー１５は、金属製（なお、合成樹脂製とすることも可能である。）であって、その一面（図２及び図３において下面）は開口されている。このカバー１５は、収容ベース１２の外側に嵌合して配置されている。
【００２４】
カバー１５の長手方向両端部には入力用と出力用の中継コネクタ１７Ａ、１７Ｂが夫々取付けられている。これら中継コネクタ１７Ａ、１７Ｂは、第１接続端部１７ａと、第２接続端部１７ｂと、支え凸部１７ｃとを有している。第１接続端部１７ａは、カバー１５の長手方向両端部に位置する端壁１５ｂ外に露出している。入力用中継コネクタ１７Ａの第１接続端部１７ａにはケース１１の外部から入力用の外部電線コネクタ１８が差込み接続され、この電線コネクタ１８には器具本体２内に引き込まれる入力用電線（図示しない）の端末が差込み接続されるようになっている。同様に、出力用中継コネクタ１７Ｂの第１接続端部１７ａにはケース１１の外部から出力用の外部電線コネクタ１９が差込み接続され、この電線コネクタ１９には出力用電線（図示しない）の一方の端末が差込み接続されるようになっている。出力用電線の他方の端末はランプソケット３等に接続されるように器具本体２内に配線されている。
【００２５】
中継コネクタ１７Ａ、１７Ｂの第２接続端部１７ｂは、カバー１５の開口に向いる。中継コネクタ１７Ａ、１７Ｂの支え凸部１７ｃはカバー１５の開口と対向する壁１５ａの内面に当接していて、電線コネクタ３１又は３２との接続の際に中継コネクタ１７Ａ、１７Ｂが第１接続端部１７ａを支点に壁１５ａ寄りに逃げ動くことを防止するストッパとして機能するように設けられている。
【００２６】
ケース１１には蛍光ランプ４を点灯させる回路基板モジュール２１が内蔵されている。このモジュール２１は、電気絶縁性の回路基板２２と、点灯回路２３とを備えている。回路基板２２は長四角形状をなし、その一面は部品取付け面２２ａとして利用され、主として回路パターンが印刷された他面は半田付け面２２ｂとして利用される。点灯回路２３は、トランジスタ等の半導体、抵抗、コンデンサ、コイル、その他の各種の電気部品を組み合わせて例えばインバータ回路部を含んで構成され、回路基板２２の長手方向両端部を除いた中間部に搭載されていて、その内の殆どの電気部品は部品取付け面２２ａに取付けられている。
【００２７】
点灯回路２３はフロー半田処理により回路基板２２に搭載される複数の電気部品を含んでいる。これらの電気部品は、端子２４を有しており、この端子２４を回路基板２２に貫通させてフロー半田層を通すことにより、回路パターンの各ランドに個別に半田２７で接合され回路基板２２に取付けられている。このように手作業によらずフロー半田処理で電気部品を取付けることは、量産性がよい点で好ましい。
【００２８】
高電圧側の電線コネクタ３１は回路基板２２の長手方向一端部に半田付けされ、低電圧側の他方の電線コネクタ３２は回路基板２２の長手方向他端部に半田付けされている。このように電線コネクタ３１、３２相互間に点灯回路２３を置いて回路基板２２の長手方向両端部に電線コネクタ３１、３２を振り分けて配設したことにより、両電線コネクタ３１、３２間の絶縁距離を充分に確保できる。
【００２９】
両電線コネクタ３１、３２の端子及び接続部の数、並びにこの数に応じた大きさは異なるが、両電線コネクタ３１、３２は同様な構成である。すなわち、両電線コネクタ３１、３２は、いずれも電気絶縁部材である合成樹脂製のコネクタケース３３に導電性の接続金具（この金具の主部は図示しない）を複数内蔵しているとともに、これらの接続金具に対応する接続部３３ａを有している。この接続部３３ａとは反対側に位置するコネクタケース３３の面には、各接続金具から一体に延出された端子３４（図５及び図６参照）が複数突出されている。
【００３０】
これらの端子３４を回路基板２２に貫通させて点灯回路２３をなす電気部品とともにフロー半田層を通すことにより、回路パターンの入出力用の各ランドに個別に半田付けして、両電線コネクタ３１、３２が点灯回路２３と電気的に接続して回路基板２２に取付けられている。このように手作業によらずフロー半田処理で両電線コネクタ３１、３２を回路基板２２に取付けることは、量産性がよい点で好ましい。
【００３１】
更に、両電線コネクタ３１、３２のコネクタケース３３の夫々には、例えば一対の棒状をなす絶縁スペーサ３５が設けられている。これらの絶縁スペーサ３５は、コネクタケース３３と同種の電気絶縁性の合成樹脂製である。絶縁スペーサ３５は、接続部３３ａと端子３４とを結ぶ方向にコネクタケース３３を貫通して設けた図示しないガイド孔を貫通可能で、かつ、接続部３３ａが設けられている面３３ｂの上方から押込み可能に設けられている。
【００３２】
両電線コネクタ３１、３２の使用前において、絶縁スペーサ３５は、図５（Ａ）に示すように前記面３３ｂから突出するとともに、端子３４が突出されたコネクタケース３３の他の面３３ｃから突出しない状態を保持しているものである。この保持は、例えば前記ガイド孔の下端部等に、絶縁スペーサ３５の押込み操作に伴って押し潰されて絶縁スペーサ３５の通過を可能とする例えば複数の突起からなる仮止め部、又は絶縁スペーサ３５の押込み操作に伴って破断されて絶縁スペーサ３５の通過を可能とする例えば複数の小断面のブリッジからなる仮止め部を設ける等により実現可能である。
【００３３】
図５（Ｂ）は手動や自動機械で絶縁スペーサ３５を押し込んだ状態を示している。この状態で絶縁スペーサ３５は、端子３４が突出されたコネクタケース３３の面３３ｃより突出保持されている。この場合の保持は、前記仮止め部の跡に絶縁スペーサ３５が圧接していることにより可能である。押し込まれた絶縁スペーサ３５の面３３ｃからの突出長さＡは、端子３４の突出長さより充分に長い。この突出長さＡは、回路基板２２の半田付け面２２ｂと収容ベース１２のベース壁１２ａとの間に必要な電気的絶縁距離を確保できる長さに設定されている。
【００３４】
両電線コネクタ３１、３２の回路基板２２への取付けは、絶縁スペーサ３５が押し込まれる前の状態で行なわれる。これにより、両電線コネクタ３１、３２が回路基板２２にフロー半田処理で半田付けされた状態を、図６（Ａ）に示す。したがって、フロー半田処理では絶縁スペーサ３５が半田付け面２２ｂに突出していないから、このフロー半田処理に伴って、絶縁スペーサ３５の下端部が変形したり、溶けたりして、機能不良を生じる恐れがない。
【００３５】
図６（Ｂ）は回路基板２２に装着された両電線コネクタ３１、３２の絶縁スペーサ３５が押込み移動された状態を示している。この場合、絶縁スペーサ３５は回路基板２２を貫通するので、この貫通を可能とするために、図７に代表して示すように回路基板２２の長手方向両端部には絶縁スペーサ３５が通る逃げ部２５が設けられている。逃げ部２５は、例えば通孔で作られているが、これに代えて切り欠きによって作ることも可能である。なお、図７中符号２６は両電線コネクタ３１、３２の端子３４が通る端子通孔を示している。
【００３６】
回路基板モジュール２１とその長手方向両端部に装着されて絶縁スペーサ３５を使用位置に突出配置した電線コネクタ３１、３２とは点灯回路ユニットＵをなしている。図６（Ｃ）に示すように点灯回路ユニットＵは、その絶縁スペーサ３５を足としてベース壁１２ａに載置して収容ベース１２に収容される。収容された点灯回路ユニットＵはその長手方向両端において支持されるので、安定した収容状態に設けられるとともに、各絶縁スペーサ３５の突出長さＡに応じた距離だけ、回路基板２２の半田付け面２２ｂをベース壁１２ａから離して設けられる。これにより、半田付け面２２ｂと金属製の収容ベース１２のベース壁１２ａとの間の電気的絶縁ができる。
【００３７】
点灯装置５の組立ては、図６（Ｃ）の組立て状態において、カバー１５を収容ベース１２に被嵌してケース１１を組立てることにより完了する。この場合、収容ベース１２へのカバー１５の被嵌の進行に伴ってカバー１５内に既に取付けられている中継コネクタ１７Ａ、１７Ｂの第２接続端部１７ｂが、その真下に対応した電線コネクタ３１又は３２の接続部３３ａに嵌合して、これら接続端部１７ｂと接続部３３ａが接続されるとともに、点灯回路ユニットＵがベース壁１２ａに押付けられる。
【００３８】
このため、組立てられたケ−ス１１内で点灯回路ユニットＵががたつかないように保持できる。しかも、入力用中継コネクタ１７Ａを介して入力用の電線コネクタ３１と外部電線コネクタ１８とが電気的に接続されるとともに、出力用中継コネクタ１７Ｂを介して出力用の電線コネクタ３２と外部電線コネクタ１９とが電気的に接続される。
【００３９】
前記充填樹脂４１は必要に応じて設けられるものであって、これには熱伝導性がよい不飽和ポリエステル樹脂等の合成樹脂が使用される。この充填樹脂４１は少なくとも図３に示すように収容ベース１２のベース壁１２ａと回路基板２２との間に充填される。この充填は、始めに収容ベース１２に未硬化の充填樹脂４１を所定量注入した後に、既述のように収容ベース１２に点灯回路ユニットＵを収納して、前記未硬化の充填樹脂４１を硬化させることにより設けたものである。なお、充填樹脂４１はケース１１内全体に充填されるように設けることも可能であり、この場合には耐水性を更に向上できる。しかし、本実施形態のように設けることは、必要な電気絶縁性を得つつ充填樹脂４１の使用量が最小限で済むので、コスト増を抑制できる点で好ましい。
【００４０】
充填樹脂４１は、回路基板２２の半田付け面２２ｂを、ケース１１内の湿気や水分に触れないように被覆して設けられている。これにより、半田付け面２２ｂでのトラッキングが電気絶縁性の充填樹脂４１で防止され、点灯装置５の防水性を向上できる。更に、充填樹脂４１は熱伝達部材として機能するので、点灯回路ユニットＵで生じた熱を、充填樹脂４１を介して収容ベース１２に放熱し、ひいてはケース１１から外部に放出できる。このため、点灯回路ユニットＵの温度過昇が防止されて、インバータ式の点灯回路２３に機能不良を生じる恐れを抑制できる。なお、前記構成の点灯装置５はそのベース壁１２ａを器具本体２のシャーシなどに密接させて器具本体２に取付けるとよく、これにより、点灯回路ユニットＵで生じた熱をシャーシに伝熱させて放出できる。
【００４１】
点灯装置５では、その回路基板モジュール２１が備える回路基板２２の長手方向両端部に入出力用の電線コネクタ３１、３２を設けることは必要不可欠である。そして、既述の点灯装置５は、入出力用の電線コネクタ３１、３２を利用し、これらの電線コネクタ３１、３２が有する電気絶縁性のコネクタケース３３に絶縁スペーサ３５を設けて、これら絶縁スペーサ３５で、回路基板モジュール２１を金属製の収容ベース１２内に両端支持するとともに、回路基板２２の半田付け面２２ｂをベース壁１２ａから離した状態に保持している。
【００４２】
このため、格別なスペーサ部品を要することなく、収容ベース１２と回路基板２２との間を電気的に絶縁できる。更に、電線コネクタ３１、３２は、電気絶縁性の合成樹脂製コネクタケース３３を有した製品である。このため、そのコネクタケース３３の形状・構造の変更等は容易であって、このコネクタケース３３に絶縁スペーサ３５を容易に設けることが可能であり、実現性が高い。
【００４３】
そして、既述のようにコネクタケース３３の絶縁スペーサ３５で、回路基板２２の半田付け面２２ｂとベース壁１２ａとの間に必要な絶縁距離を設けたので、この配置を得るために、ベース壁１２ａにスペーサとなるための切り起こしが不用となり、このベース壁１２ａを孔無し構造とできる。このため、収容ベース１２の構造が単純になるとともに、この収容ベース１２をプレス成形する金型の構造を簡単にできる。したがって、収容ベース１２の成形コストが低減されるに伴い、点灯装置５のコストダウンを図ることが可能である。
【００４４】
しかも、絶縁スペーサ３５は、電気絶縁性であるため、これと回路基板２２の回路パターンとの間に必要な電気的絶縁距離が確保されるように絶縁スペーサ３５を逃げて回路パターンを設ける必要がない。このため、点灯装置５の小形化や高性能化等のために回路基板２２に対する電気部品の実装密度を高める場合に、絶縁スペーサ３５によって電気部品の搭載位置が制限されることがなくなり、回路パターンの設計上の制約となることがない。
【００４５】
更に、箱状の収容ベース１２のベース壁１２ａが孔無しの構成であるので、このベース壁１２ａと回路基板２２の半田付け面２２ａとの間に電気絶縁性の充填樹脂４１を充填する場合に、ベース壁１２ａから充填樹脂４１が漏れることがない。このため、耐湿・防水性を高める点灯装置５を構成する上で好ましい。
【００４６】
なお、本発明は前記一実施形態には制約されない。点灯ユニットは、ランプを平常時点灯させるものであっても、停電などの非常時に点灯させるものであってもよい。
【００４７】
【発明の効果】請求項１の発明によれば、回路基板モジュールを収容したケースの金属製収容ベースと回路基板モジュールとの間の電気的絶縁を、入出力用の電線コネクタを利用するという簡単な構成で低コストで得ることが可能であるとともに、収容ベースのベース壁が孔無しとなるので、充填樹脂を用いて防水性を得る場合に好適な点灯装置を提供できる。
【００４８】
請求項２の発明によれば、電線コネクタの端子を回路基板にフロー半田で半田付けする場合に、絶縁スペーサが溶融半田の熱で溶けたり変形したりすることがなく、この半田付け後に絶縁スペーサを確実に押込み移動させることができるため、絶縁スペーサに所定の機能を発揮させることが可能である。
【００４９】
請求項３の発明によれば、請求項１又は２に記載の点灯装置を備えるので、ケースの金属製収容ベースと回路基板モジュールとの間の電気的絶縁を簡単な構成で低コストで得ることが可能であるとともに、防水性を得る場合に好適な点灯装置を備えた照明器具を提供できる。
【図面の簡単な説明】
【図１】本発明の一実施形態に係る照明器具を示す斜視図。
【図２】図１の照明器具が備える点灯装置を示す斜視図。
【図３】図１の照明器具が備える点灯装置を示す断面図。
【図４】図３の照明器具が備える点灯装置を分解して示す断面図。
【図５】（Ａ）は図１の照明器具が備える点灯装置の電線コネクタをその絶縁スペーサが押込まれる前の状態で示す正面図。（Ｂ）は図１の照明器具が備える点灯装置の電線コネクタをその絶縁スペーサが押込まれた状態で示す正面図。
【図６】（Ａ）は図１の照明器具が備える点灯装置の回路基板に半田付けされた電線コネクタをその絶縁スペーサが押込まれる前の状態で示す正面図。（Ｂ）は図１の照明器具が備える点灯装置の回路基板に半田付けされた電線コネクタをその絶縁スペーサが押込まれた状態で示す正面図。（Ｃ）は図１の照明器具が備える点灯装置の電線コネクタが半田付けされた回路基板を収容ベースに収容した状態を示す断面図。
【図７】図１の照明器具が備える点灯装置の回路基板の一端部を示す平面図。
【符号の説明】
１…照明器具、２…器具本体、３…ランプソケット、４…蛍光ランプ（放電灯）、５…点灯装置、１１…ケース、１２…ケースの収容ベース、１２ａ…収容ベースのベース壁、１５…ケースのカバー、２１…回路基板モジュール、２２…回路基板、２２ｂ…半田付け面、２３…点灯回路、２４…電気部品の端子、２５…逃げ部、３１…入力用の電線コネクタ、３２…出力用の電線コネクタ、３３…コネクタケース、３４…電線コネクタの端子、３５…絶縁スペーサ、４１…充填樹脂、Ｕ…点灯回路ユニット
【図１】
2005019316.tif 000003
【図２】
2005019316.tif 000004
【図３】
2005019316.tif 000005
【図４】
2005019316.tif 000006
【図５】
2005019316.tif 000007
【図６】
2005019316.tif 000008
【図７】
2005019316.tif 000009